(57)【要約】      （修正有）【課題】額に当接する部位の汚れ防止が図れ、使用感が良好で、かつ取扱い易い帽子を提供する。【解決手段】着用者の頭部に沿う円弧状に形成された根元部を有する庇と、庇の根元部に沿って取り付けられ、着用者の頭部の周囲に配置される装着用の環状基部と、環状基部の内側の面に着脱自在に取り付けられる帯状のビン皮とを含む。ビン皮は、可撓性および直線復元性を有する芯板と、着用者の額に接する部分を形成する吸水性接触布とを有する。環状基部の内側の面の左右両側には、ビン皮の一端および他端をそれぞれ係止するために、ビン皮を、その長さ方向の端から所定深さまで挿入することができるポケットが形成されている。【選択図】図２
0003154495.tif 000002
【実用新案登録請求の範囲】
【請求項１】
着用者の頭部に沿う円弧状に形成された根元部を有する庇と、
前記庇の根元部に沿って取り付けられ、着用者の頭部の周囲に配置される装着用の環状基部と、
前記環状基部の内側の面に着脱自在に取り付けられる帯状のビン皮とを含み、
前記ビン皮は、可撓性および直線復元性を有する芯板と、着用者の額に接する部分を形成する吸水性接触布とを有し、
前記環状基部の内側の面の左右両側には、前記ビン皮の一端および他端をそれぞれ係止するために、前記ビン皮を、その長さ方向の端から所定深さまで挿入することができるポケットが形成されていることを特徴とする、帽子。
【請求項２】
前記ビン皮は、帯状部の長辺から当該帯状部の幅方向外側に向かって当該帯状部に対して交差する方向に突出し、前記庇の根元部の下面を覆う鍔部を有することを特徴とする、請求項１記載の帽子。
【請求項３】
前記庇の上下を反転させて前記庇の下側の面を上側にし、さらに前記環状基部の内側の面と外側の面とを反転させても使用でき、
前記環状基部の外側の面の左右両側には、前記ビン皮の一端および他端をそれぞれ係止するために、前記ビン皮を、その長さ方向の端から所定深さまで挿入することできるポケットが形成されており、
前記環状基部の外側の面に形成された一対のポケットは、それぞれ、前記環状基部の内側の面に形成された一対のポケットと表裏対称となる位置に配置されていることを特徴とする、請求項１または２記載の帽子。
【考案の詳細な説明】
【技術分野】
【０００１】
この考案は、帽子に関する。
【背景技術】
【０００２】
帽子には、通常、頭収容部の内周縁にビン皮が備えられている。ビン皮は、帽子をかぶった際に頭に当接し、装着感を向上させるものであるが、額に当接する部位は、汗や化粧品により汚れ易い。特に、バイザーまたはサンバイザーと称される目庇だけの帽子では、額に当接するバンド部内面や、その内面に縫合されたビン皮の汚れが目立つ。
そこで、サンバイザーのビン皮をマジックテープ（登録商標）で着脱自在にしたものが、特許文献１に提案されている。
【先行技術文献】
【特許文献】
【０００３】
【特許文献１】実用新案登録３１２８９８５号公報
【考案の概要】
【考案が解決しようとする課題】
【０００４】
帽子、中でもサンバイザーは、発汗し易い夏場に女性がかぶることが多く、額に当接する部位のビン皮が、ファウンデーション等の化粧品や汗で非常に汚れ易い。ビン皮が汚れると、洗濯に手間がかかるし、汚れをそのままにしていては、不潔感を与え好ましくない。特許文献１に提案されているマジックテープで着脱可能にしたビン皮も対策の１つではあるが、より使用感に優れ、取扱い性の良い汚れ防止構造が望まれていた。
【０００５】
この考案は、かかる背景のもとでなされたものであり、額に当接する部位の汚れ防止が図れ、使用感が良好で、かつ取扱い易い帽子を提供することを目的とする。
【課題を解決するための手段】
【０００６】
請求項１記載の考案は、着用者の頭部に沿う円弧状に形成された根元部を有する庇と、前記庇の根元部に沿って取り付けられ、着用者の頭部の周囲に配置される装着用の環状基部と、前記環状基部の内側の面に着脱自在に取り付けられる帯状のビン皮とを含み、前記ビン皮は、可撓性および直線復元性を有する芯板と、着用者の額に接する部分を形成する吸水性接触布とを有し、前記環状基部の内側の面の左右両側には、前記ビン皮の一端および他端をそれぞれ係止するために、前記ビン皮を、その長さ方向の端から所定深さまで挿入することができるポケットが形成されていることを特徴とする、帽子である。
【０００７】
請求項２記載の考案は、前記ビン皮は、帯状部の長辺から当該帯状部の幅方向外側に向かって当該帯状部に対して交差する方向に突出し、前記庇の根元部の下面を覆う鍔部を有することを特徴とする、請求項１記載の帽子である。
請求項３記載の考案は、前記庇の上下を反転させて前記庇の下側の面を上側にし、さらに前記環状基部の内側の面と外側の面とを反転させても使用でき、前記環状基部の外側の面の左右両側には、前記ビン皮の一端および他端をそれぞれ係止するために、前記ビン皮を、その長さ方向の端から所定深さまで挿入することできるポケットが形成されており、前記環状基部の外側の面に形成された一対のポケットは、それぞれ、前記環状基部の内側の面に形成された一対のポケットと表裏対称となる位置に配置されていることを特徴とする、請求項１または２記載の帽子である。
【考案の効果】
【０００８】
請求項１記載の考案によれば、両端がポケットに差し込まれたビン皮が、着用時に、着用者の額に当接する。ビン皮には芯板が含まれており、吸水性接触布が額に当接するため、装着感が良好である。また、額からの汗はビン皮で吸い取られ、装着感がより良好である。また、額に塗布されたファウンデーション、日焼け防止化粧品等は、ビン皮に付着し、ビン皮が汚れるが、ビン皮の両端をポケットから抜き出せば、ビン皮単体を容易に取り外せる。そして、ビン皮を洗濯すれば、きれいになったビン皮を再装着して、快適に帽子をかぶれる。
【０００９】
ビン皮の取り付けは、両端をポケットに差し込むだけでよく、取付けが容易である。また、額に当接する部位のビン皮の裏側に、マジックテープ等の異物が設けられておらず、装着感がよい。
請求項２記載の考案のように、ビン皮に、庇の根元部を覆う鍔部を設けると、汚れ易い庇の根元部をビン皮でカバーでき、帽子自体が汚れることを良好に阻止できる。
【００１０】
特に、庇の根元部は、装着時に額に触れ易く、汚れ易いが、この部位が汚れるのを良好に防止できる。
また、請求項３記載の考案では、いわゆるリバーシブル着用できる帽子に対しても、着脱自在にビン皮を取り付けることができる。
なお、予備のビン皮を容易しておけば、ビン皮の洗濯中においても、予備のビン皮を装着し、帽子を使用できる。
【図面の簡単な説明】
【００１１】
【図１】本考案の一実施形態に係る帽子の図解的な平面図である。
【図２】図１におけるＩＩ−ＩＩ線に沿う前記帽子の図解的な断面図である。
【図３】図２におけるＩＩＩ−ＩＩＩ線に沿う前記帽子の図解的な断面図である。
【図４】ビン皮の図解的な断面図である。
【図５】ビン皮の図解的な断面図である。
【図６】本考案の他の実施形態に係る帽子の図解的な平面図である。
【図７】図６におけるＶＩＩ−ＶＩＩ線に沿う前記帽子の図解的な断面図である。
【図８】ビン皮の要部の図解的な平面図である。
【図９】本考案のさらに他の実施形態に係る帽子の図解的な斜視図である。
【考案を実施するための形態】
【００１２】
以下では、本考案の実施の形態を、添付図面を参照して詳細に説明する。
図１は、本考案の一実施形態に係る帽子１の図解的な平面図である。また、図２は、図１におけるＩＩ−ＩＩ線に沿う帽子１の図解的な断面図であり、図３は、図２におけるＩＩＩ−ＩＩＩ線に沿う帽子１の図解的な断面図である。図４および図５は、ビン皮４の図解的な断面図である。
【００１３】
図１〜図３を参照して、帽子１は、バイザーまたはサンバイザーと称される目庇だけの帽子である。帽子１は、庇２と、環状基部に相当する装着用のバンド部３と、バンド部３の内面に着脱自在に取り付けられたビン皮４とを備えている。バンド部３を着用者の頭部の周囲に配置することにより、帽子１を着用者の頭部に装着することができる。
庇２は、平面視において左右対称の略Ｃ形に形成されている。庇２の根元部は、着用者の頭部に沿う円弧状に形成されている。庇２は、上側に凸となるように湾曲している。庇２は、芯材５と、この芯材５の表面および裏面を被覆する布６とによって構成されている。
【００１４】
バンド部３は、たとえば可撓性のある軟らかい布製である。図１に示すように、バンド部３の一端部および他端部は、長さ調節用の金具７によって互いに連結されている。バンド部３の周長は、金具７によって調節される。バンド部３の一方の長辺は、庇２の根元に沿って縫合されている。バンド部３は、左右対称となるように、庇２に取り付けられている。バンド部３は、庇２の根元部から庇２に対して交差する方向に延びている。バンド部３は、その内面に取り付けられたビン皮４によって撓まないように支持されている。すなわち、この実施形態では、ビン皮４が、バンド部３の芯材として機能している。
【００１５】
また、バンド部３の内面には、ビン皮４を取り付けるための一対のポケット８が形成されている。一対のポケット８は、それぞれ、バンド部３の内面の左側および右側に配置されている。一対のポケット８は、左右対称となるように、バンド部３の長さ方向に間隔をあけて配置されている。各ポケット８は、たとえばバンド部３と同種の生地をバンド部３に重ね合わせて縫合することにより形成されている。各ポケット８の入口は、ビン皮４の長さ方向の端を挿入できる大きさに形成されている。さらに、各ポケット８は、ビン皮４を所定長さ挿入できる深さに形成されている。
【００１６】
ビン皮４は、可撓性および直線復元性を有する芯板９と、着用者の額に接する部分を形成する吸水性接触布１０とを有している。芯板９は、たとえば、帯状に形成された合成樹脂製の薄板である。芯板９は、自由状態（荷重が与えられていない状態）で平坦になるように形成されている。吸水性接触布１０は、芯板９の一方の面に沿って取り付けられている。より具体的には、吸水性接触布１０は、たとえば図４に示すように、吸水性を有する帯状の布部１１と、吸水材１２とを有している。布部１１は、吸水材１２を内部に保持した状態で、芯板９の一方の面に沿って取り付けられている。図３に示すように、芯板９は、たとえば、吸水性接触布１０よりもやや長く形成されており、芯板９の一端および他端は、それぞれ、吸水性接触布１０の一端および他端よりも長さ方向に突出している。
【００１７】
ビン皮４は、吸水性接触布１０を内側に向けて、バンド部３の内面に取り付けられている。すなわち、吸水性接触布１０が内側に向けられた状態で、ビン皮４の一端および他端が、それぞれ、バンド部３の内側に位置する２つのポケット８に差し込まれ、係止されている。これにより、ビン皮４が、円弧状に湾曲した状態で、バンド部３の中央部（長さ方向の中央部）に取り付けられている。ビン皮４の取付位置は、ビン皮４が着用者の額に対向する位置である。バンド部３の内面中央部は、ビン皮４によって覆われている。
【００１８】
なお、ビン皮４は、図４に示すような構造に限らず、たとえば図５に示すような、芯板９が布部１１内に収容され、布部１１と芯板９との間に吸水材１２が配置された構成であってもよい。
以上のようにこの実施形態では、バンド部３の内面にビン皮４を取り付けて、着用者の額にビン皮４を対向させることができる。これにより、着用者の汗をビン皮４に吸水させて、バンド部３が汗で汚れることを防止することができる。さらに、着用者の額にファウンデーションなどの化粧品が付着している場合でも、バンド部３がこの化粧品によって汚れることを防止することができる。これにより、汚れやすい部分であるバンド部３を清潔に維持することができる。また、ビン皮４が汚れた場合には、このビン皮４をバンド部３から取り外して洗濯することができるので、帽子１全体を清潔に維持することができる。
【００１９】
また、この実施形態では、ビン皮４をバンド部３の芯材として機能させることができる。したがって、この実施形態のように、バンド部３に腰がない場合（バンド部３が軟らかい場合）であっても、ビン皮４によってバンド部３の型崩れを防止することができる。これにより、帽子１の製品寿命を向上させることができる。また、帽子１を扱う店舗等においては、バンド部３の型崩れを発生させることなく、帽子１を上下方向に重ね置くことができる。これにより、帽子１を保管するためのスペースを削減できる。さらに、複数の帽子１を上下に重ねて一度に運ぶことができるので、運搬時の利便性がよい。
【００２０】
図６は、本考案の他の実施形態に係る帽子１０１の図解的な平面図である。また、図７は、図６におけるＶＩＩ−ＶＩＩ線に沿う帽子１０１の図解的な断面図であり、図８は、ビン皮１０４の要部の図解的な平面図である。
図６〜図８を参照して、この実施形態に係る帽子１０１は、表面だけでなく、裏面を外側に向けても使用できるリバーシブルのバイザーまたはサンバイザーである。帽子１０１は、庇１０２と、環状基部に相当する装着用のバンド部１０３と、バンド部１０３の内面に着脱自在に取り付けられたビン皮１０４とを備えている。バンド部１０３を着用者の頭部の周囲に配置することにより、帽子１０１を着用者の頭部に装着することができる。
【００２１】
庇１０２は、平面視において左右対称の略Ｃ形に形成されている。庇１０２の根元部は、着用者の頭部に沿う円弧状に形成されている。庇１０２は、上側に凸となるように湾曲している。庇１０２は、表面および裏面のどちらの面を外側にしても湾曲させることができる。すなわち、庇１０２は、図７における下側の面を外側にして湾曲させることもできる。庇１０２は、たとえば合成樹脂で形成された弾力性のある薄板状の芯材１０５と、この芯材１０５の表面および裏面を被覆する布１０６とによって構成されている。
【００２２】
バンド部１０３は、平面視において左右対称の略Ｃ形に形成されている。バンド部１０３は、庇１０２の根元部から庇１０２に対して交差する方向に延びている。バンド部１０３は、袋状に形成された帯状布１１２と、帯状布１１２内に収容された板ばね１１３とを含む。帯状布１１２の一方の長辺は、左右対称となるように、庇１０２の根元に沿って庇１０２に縫合されている。また、板ばね１１３は、たとえば合成樹脂製であり、弾性を有している。板ばね１１３は、平面視Ｃ形に湾曲している。これにより、バンド部１０３が、全体として平面視Ｃ形に湾曲している。板ばね１１３は、帯状布１１２に連結されておらず、帯状布１１２に対して相対移動可能である。
【００２３】
また、図６に示すように、バンド部１０３の内面および外面には、ビン皮１０４を取り付けるためのポケット１０８が２つずつ形成されている。バンド部１０３の内面に形成された一対のポケット１０８は、それぞれ、バンド部１０３の左側および右側に配置されている。バンド部１０３の内面に形成された一対のポケット１０８は、左右対称となるように、バンド部１０３の長さ方向に間隔をあけて配置されている。同様に、バンド部１０３の外面に形成された一対のポケット１０８は、それぞれ、バンド部１０３の左側および右側に配置されている。バンド部１０３の外面に形成された一対のポケット１０８は、左右対称となるように、バンド部１０３の長さ方向に間隔をあけて配置されている。さらに、バンド部１０３の外面に形成された一対のポケット１０８は、それぞれ、バンド部１０３の内面に形成された一対のポケット１０８と表裏対称となる位置に配置されている。各ポケット１０８は、帯状布１１２と同種の生地を帯状布１１２に重ね合わせて縫合することにより形成されている。各ポケット１０８の入口は、ビン皮１０４の長さ方向の端を挿入できる大きさに形成されている。さらに、各ポケット１０８は、ビン皮１０４を所定長さ挿入できる深さに形成されている。
【００２４】
ビン皮１０４は、帯状部１１４と、鍔部１１５とを備えている。帯状部１１４および鍔部１１５は、それぞれ、可撓性および直線復元性を有する芯板１０９と、芯板１０９を収容する袋状の吸水性接触布１１０とを有している。各芯板１０９は、たとえば、合成樹脂製の薄板であり、自由状態でほぼ平坦になるように形成されている。帯状部１１４は、平面視Ｃ形に湾曲しており、鍔部１１５は、細長い略Ｃ形に形成されている。帯状部１１４の一方の長辺は、鍔部１１５の根元部に沿って当該根元部に縫合されている。帯状部１１４は、左右対称となるように、鍔部１１５に取り付けられている。帯状部１１４は、鍔部１１５の根元部から鍔部１１５に対して交差する方向に延びている。図６に示すように、帯状部１１４の一端部および他端部は、それぞれ、鍔部１１５の一端および他端よりも長さ方向に突出している。また、ビン皮１０４は、表面だけでなく、裏面を外側に向けても使用できるように形成されている。より具体的には、帯状部１１４の反りを反転させて（図８の矢印Ａ１参照）、鍔部１１５の上面および下面を反転させることにより（図８の矢印Ａ２参照）、ビン皮１０４の表面と裏面とを反転させることができる。
【００２５】
帯状部１１４の一端および他端は、それぞれ、バンド部１０３の内側に位置する一対のポケット１０８に差し込まれ、係止されている。これにより、ビン皮１０４が、円弧状に湾曲した状態で、バンド部１０３の中央部（長さ方向の中央部）に取り付けられている。ビン皮１０４の取付位置は、ビン皮１０４が着用者の額に対向する位置である。バンド部１０３の内面中央部は、ビン皮１０４の帯状部１１４によって覆われている。また、庇１０２の根元部の下面は、ビン皮１０４の鍔部１１５によって覆われている。
【００２６】
次に、帽子１０１の表面と裏面とを反転させるときの手順について説明する。
帽子１０１の表面と裏面とを反転させるときは、最初に、ビン皮１０４の一端および他端を対応するポケット１０８から取り出して、ビン皮１０４をバンド部１０３から取り外す。そして、庇１０２の反りを反転させて（図７の矢印Ａ３参照）、下側の面が外側になるように庇１０２を湾曲させる。次に、板ばね１１３を押して、板ばね１１３を庇１０２の外側に向けて平行移動させる。このとき、帯状布１１２を板ばね１１３に沿って回転させるように移動させながら、帯状布１１２を庇１０２の外側に移動させて、帯状布１１２の内面と外面とを反転させる。
【００２７】
板ばね１１３を庇１０２の外側に平行移動させることにより、帽子１０１の表面と裏面とを反転させることができる。また、帯状布１１２の内面と外面とを反転させると、バンド部１０３の外側に位置していた２つのポケット１０８が、バンド部１０３の内側に位置する。したがって、この内側に配置された２つのポケット１０８にビン皮１０４の一端および他端を差し込むことにより、表裏が反転されたバンド部１０３の内面にビン皮１０４を取り付けることができる。また、内側のポケット１０８と外側のポケット１０８とが表裏対称に配置されているから、帽子１０１が裏返された場合でも、着用者の額にビン皮１０４を確実に対向させることができる。
【００２８】
以上のようにこの実施形態では、バンド部１０３の内面にビン皮１０４を取り付けることにより、バンド部１０３の内面および庇１０２の根元部の下面をビン皮１０４によって覆うことができる。したがって、バンド部１０３の内面だけでなく、庇１０２の根元部が、汗や化粧品などで汚れることを防止することができる。これにより、庇１０２およびバンド部１０３を清潔に維持することができる。また、バンド部１０３の内面および庇１０２の根元部の下面の汚れを防止できるので、帽子１０１の裏面（バンド部１０３の内面や庇１０２の根元部の下面など）を外側に出して使用する際に、汚れた部分が外側に露出されることを防止することができる。さらに、ビン皮１０４が汚れた場合には、このビン皮１０４をバンド部１０３から取り外して洗濯することができるので、帽子１０１全体を清潔に維持することができる。さらにまた、この実施形態では、ビン皮１０４が、表面だけでなく、裏面を外側に向けても使用できるように構成されているので、たとえば、ビン皮１０４の表面が汚れたときに、ビン皮１０４を裏返して使用することもできる。これにより、ビン皮１０４を効率的に使用することができる。
【００２９】
この考案の実施の形態の説明は以上であるが、この考案は、前述の実施形態の内容に限定されるものではなく、請求項記載の範囲内において種々の変更が可能である。たとえば、前述の実施形態では、帽子１、１０１が、フードのないバイザーまたはサンバーザーである場合について説明したが、これに限らず、本考案に係る帽子は、フード付きの帽子であってもよい。より具体的には、たとえば図９に示すフード付きの帽子２０１のように、フードの基端部に設けられた環状基部２０３の裏側に一対のポケット２０８を形成し、この一対のポケット２０８にビン皮２０４の一端および他端をそれぞれ差し込むことにより、環状基部２０３の内側の面にビン皮２０４を取り付けてもよい。その他、実用新案登録請求の範囲に記載された事項の範囲で種々の設計変更を施すことが可能である。
【符号の説明】
【００３０】
１、１０１、２０１    帽子
２、１０２            庇
３、１０３            バンド部（環状基部）
４、１０４、２０４    ビン皮
８、１０８、２０８    ポケット
９、１０９            芯板
１０、１１０          吸水性接触布
１１４                帯状部
１１５                鍔部
２０３                環状基部
【図１】
0003154495.tif 000003
【図２】
0003154495.tif 000004
【図３】
0003154495.tif 000005
【図４】
0003154495.tif 000006
【図５】
0003154495.tif 000007
【図６】
0003154495.tif 000008
【図７】
0003154495.tif 000009
【図８】
0003154495.tif 000010
【図９】
0003154495.tif 000011
【手続補正書】
【提出日】平成21年8月10日(2009.8.10)
【手続補正１】
【補正対象書類名】明細書
【補正対象項目名】０００７
【補正方法】変更
【補正の内容】
【０００７】
請求項２記載の考案は、前記ビン皮は、帯状部の長辺から当該帯状部の幅方向外側に向かって当該帯状部に対して交差する方向に突出する突出部を有し、この突出部は、前記庇の根元部の下面を覆う鍔部を形成していることを特徴とする、請求項１記載の帽子である。
請求項３記載の考案は、前記庇の上下を反転させて前記庇の下側の面を上側にし、さらに前記環状基部の内側の面と外側の面とを反転させても使用でき、前記環状基部の外側の面の左右両側には、前記ビン皮の一端および他端をそれぞれ係止するために、前記ビン皮を、その長さ方向の端から所定深さまで挿入することできるポケットが形成されており、前記環状基部の外側の面に形成された一対のポケットは、それぞれ、前記環状基部の内側の面に形成された一対のポケットと表裏対称となる位置に配置されていることを特徴とする、請求項１または２記載の帽子である。
【手続補正２】
【補正対象書類名】実用新案登録請求の範囲
【補正対象項目名】全文
【補正方法】変更
【補正の内容】
【実用新案登録請求の範囲】
【請求項１】
着用者の頭部に沿う円弧状に形成された根元部を有する庇と、
前記庇の根元部に沿って取り付けられ、着用者の頭部の周囲に配置される装着用の環状基部と、
前記環状基部の内側の面に着脱自在に取り付けられる帯状のビン皮とを含み、
前記ビン皮は、可撓性および直線復元性を有する芯板と、着用者の額に接する部分を形成する吸水性接触布とを有し、
前記環状基部の内側の面の左右両側には、前記ビン皮の一端および他端をそれぞれ係止するために、前記ビン皮を、その長さ方向の端から所定深さまで挿入することができるポケットが形成されていることを特徴とする、帽子。
【請求項２】
前記ビン皮は、帯状部の長辺から当該帯状部の幅方向外側に向かって当該帯状部に対して交差する方向に突出する突出部を有し、この突出部は、前記庇の根元部の下面を覆う鍔部を形成していることを特徴とする、請求項１記載の帽子。
【請求項３】
前記庇の上下を反転させて前記庇の下側の面を上側にし、さらに前記環状基部の内側の面と外側の面とを反転させても使用でき、
前記環状基部の外側の面の左右両側には、前記ビン皮の一端および他端をそれぞれ係止するために、前記ビン皮を、その長さ方向の端から所定深さまで挿入することできるポケットが形成されており、
前記環状基部の外側の面に形成された一対のポケットは、それぞれ、前記環状基部の内側の面に形成された一対のポケットと表裏対称となる位置に配置されていることを特徴とする、請求項１または２記載の帽子。